(57)【要約】【課題】顧客が紙幣投入口に投入した紙幣Ｂに硬貨が挟まったまま搬送路１７内に流出した場合でも、前記搬送路１７内の走行ガイド１８に滞留する硬貨Ｃを排除する。【解決手段】顧客により投入された媒体を装置内部に搬送する媒体搬送手段を設けた紙幣自動入出金部１０を有するＡＴＭ１において、前記媒体搬送手段の下部に走行ガイド１８を有し、当該走行ガイド１８に複数の孔１８−１を設け、当該孔１８−１の下側に異物回収用の搬送路異物ダクト１９を設ける。更に当該搬送路異物ダクト１９には異物検知用の光学センサ２０を設ける。【選択図】    図４
2009080611.tif 000002
【特許請求の範囲】
【請求項１】
投入された媒体を装置内部に搬送する媒体搬送手段を設けた紙幣自動入出金装置を有する現金自動取引装置において、
前記媒体搬送手段の下部に走行ガイドを有し、
当該走行ガイドに複数の孔を設け、当該孔の下側に異物回収用ダクトを設けたことを特徴とする現金自動取引装置。
【請求項２】
請求項１記載の現金自動取引装置において、前記異物回収用ダクトは箱型であることを特徴とする現金自動取引装置。
【請求項３】
請求項１記載の現金自動取引装置において、前記異物回収用ダクトは内部に異物搬送用の搬送手段が設けられたことを特徴とする現金自動取引装置。
【請求項４】
請求項３記載の現金自動取引装置において、前記異物搬送用の搬送手段の駆動部は、前記媒体搬送手段の駆動部と連結されていることを特徴とする現金自動取引装置。
【請求項５】
請求項３記載の現金自動取引装置において、前記異物搬送用の搬送手段は、当該異物を装置本体の返却口に搬送する構造であることを特徴とする現金自動取引装置。
【請求項６】
請求項１記載の現金自動取引装置において、前記異物回収用ダクトには異物通過検知用センサが設けられたことを特徴とする現金自動取引装置。
【発明の詳細な説明】
【技術分野】
【０００１】
本発明は、金融機関等に設置され顧客が取引する現金自動取引装置に関するものである。
【背景技術】
【０００２】
従来、現金自動取引装置（以下ＡＴＭという）には、紙幣の入出金処理を行なうために紙幣自動入出金部が搭載されている。図７は従来の紙幣自動入出金部１０の概略構成図である。
【０００３】
同図において、１１はＡＴＭの紙幣投入口内部に設けられ顧客との間で紙幣Ｂの受渡しを行なう接客部であり、詳細動作は後述する。１２は当該顧客から前記接客部１１に投入された入金取引があった場合、当該入金紙幣枚数がＡＴＭにより確認されるまで保留するためのエスクロ部である。１３は入金取引が成立した紙幣を貯留し、かつ出金取引があった場合出金紙幣を繰出す金種別に設けられた金種スタッカである。１４は入金時に入金された紙幣や、出金時に金種スタッカ１３から繰出された紙幣の金種やその紙幣の走行状態を鑑別する認識部である。
【０００４】
更に、１５はリジェクトカセットであり、入金時に前記エスクロ部１２から前記金種スタッカ１３へ収納する際や、出金時の金種スタッカ１３から繰出す際に、前記認識部１４で鑑別に失敗した紙幣を収納する。１６は当該紙幣自動入出金部１０へ出金のための紙幣を補充し、入金された紙幣を回収するための補充回収カセットである。また、上記各部は搬送路１７によって連結されており、紙幣は当該搬送路１７上を走行して各部間を移動する。
【０００５】
当該搬送路１７には、図示しない走行ガイドが取付けられており、この走行ガイドは紙幣が搬送路１７内で搬送中、バタつかないように搬送路１７に対して一定間隔の間隙を有して搬送路１７と平行に配置されている。
【０００６】
当該ＡＴＭでは一般に紙幣以外に硬貨も扱うため、入金取引時に顧客が誤って、紙幣投入口に硬貨を投入してしまうことがある。このため従来の紙幣自動入出金部は特許文献１にあるように、紙幣投入口の底部を櫛歯形状にすることにより、誤って投入された硬貨をその自重を利用して紙幣間から落下させ、紙幣投入口下に設けられた異物ダクト部に落す工夫がなされている。
【特許文献１】特開２００６−６５４３５号公報
【発明の開示】
【発明が解決しようとする課題】
【０００７】
しかしながら、顧客による紙幣の投入に際し、硬貨が挟まったまま紙幣の束を紙幣投入口に投入する場合があり、その結果、硬貨が紙幣束間に挟まった状態のままにある場合もある。このような場合、従来技術における紙幣投入口での硬貨排除方法は、硬貨の自重に頼っているため、紙幣間に挟まっている硬貨が一円硬貨のように軽い場合には、紙幣間を硬貨が滑る抵抗の方が硬貨の自重よりも大きくなり、この硬貨を異物ダクトに落すことができないという問題があった。
【０００８】
図８はこのような従来の硬貨排除方法の問題点を示す動作説明図である。図８（ａ）において、顧客は紙幣投入口内部に設けられた接客部１１の紙幣プール部２１に硬貨Ｃが挟まった紙幣Ｂの束を投入する。紙幣プール部２１の底部２５は、紙幣Ｂの長手方向に直行する方向に櫛状の歯を有し、歯の間隔は硬貨Ｃが落下するのに充分な間隔を有する構成である。よって、紙幣プール部２１に投入された紙幣Ｂは当該紙幣プール部２１の底部２５から落下することはないが、硬貨Ｃは当該幣プール部２１の底部２５から落下することになる。紙幣Ｂの束に挟まれた硬貨Ｃは、紙幣プール部２１の底部２５をすり抜けて異物ダクト２４へ落下する。しかし、硬貨Ｃの自重が軽く、更に投入された紙幣の枚数が多い場合は、硬貨Ｃが異物ダクト２４に落ちない。
【０００９】
その後、図８（ｂ）のように、紙幣プール部２１を矢印方向に回転して、給送ローラ２２と分離ゲート部２３による紙幣分離動作を行なうが、図８（ｃ）のように、紙幣Ｂ間に挟まれた硬貨Ｃは、紙幣Ｂと共に分離ゲート部２３へ移動する。そして、硬貨Ｃが分離ゲート部２３に到達すると、図８（ｄ）のように、紙幣Ｂと共に分離ゲート部２３を通過して、搬送路１７に流出してしまう。
【００１０】
再び図７に戻ると、同図の太線は入金紙幣Ｂの搬送路１７における走行ルート（Ｒ１〜Ｒ４）を示す。搬送路１７に流出した硬貨Ｃは、接客部１１から続く垂直方向の走行ルートＲ１はそのまま通過するが、その後の水平方向の走行ルートＲ２では、図示しない前記走行ガイド上に滞留する。この走行ガイド上に滞留した硬貨Ｃに、搬送路１７を走行する紙幣Ｂが衝突することで、紙幣ジャムが発生して装置が休止してしまうという問題があった。
【００１１】
本発明はこのような問題を解決するものであり、顧客が紙幣投入口に投入した紙幣Ｂに硬貨が挟まったまま搬送路１７内に流出した場合でも、前記搬送路１７内の走行ガイドに滞留する硬貨Ｃを排除することを目的にする。
【課題を解決するための手段】
【００１２】
本発明の課題を解決するための手段は、顧客により投入された媒体を装置内部に搬送する媒体搬送手段を設けた紙幣自動入出金部を有するＡＴＭにおいて、前記媒体搬送手段の下部に走行ガイドを有し、当該走行ガイドに複数の孔を設け、当該孔の下側に異物回収用ダクトを設ける。
【発明の効果】
【００１３】
本発明はこのような手段をとることにより、顧客が紙幣投入口に投入した紙幣に硬貨が挟まったまま搬送路１７内に流出した場合でも、前記搬送路１７内の走行ガイドに滞留する硬貨Ｃを排除することができる。
【発明を実施するための最良の形態】
【００１４】
図１は本発明を実施するための最良の形態のＡＴＭ１の外観図である、２はガイダンスに従って顧客が操作して現金の入出金取引等を行なうための顧客操作表示部であり、３は入金取引の場合に顧客によって紙幣を投入し、又は出金取引の場合に顧客によって紙幣を取出す紙幣投入返却口である。４は同じく硬貨を投入し、又は硬貨を取出す硬貨投入返却口である。５は顧客が現金の入出金取引を行なうに当たり、キャッシュカードを挿入するカード入出口であり、６は通帳を記帳のための通帳入出口である。７は顧客が投入した硬貨等の異物を顧客に返却する異物返却口である。当該ＡＴＭ１は内部に入金紙幣や出金紙幣を処理する後述する紙幣自動入出金部を有する。
【００１５】
図２は本発明を実施するための最良の形態の紙幣自動入出金部１０を示す構成図である。図７と同一の構成には同一の符号を付す。同図において、１１は前記紙幣投入返却口３の内部に設けられ顧客との間で紙幣Ｂの受渡しを行なう接客部である。１２は入金取引において顧客から前記接客部１１に投入された入金紙幣があった場合、当該入金紙幣枚数がＡＴＭ１により確認されるまで保留するためのエスクロ部である。１３は入金取引が成立した紙幣を貯留し、かつ出金取引があった場合出金紙幣を繰出す金種別に設けられた金種スタッカである。１４は入金時に入金された紙幣や、出金時に金種スタッカ１３から繰出された紙幣の金種やその紙幣の走行状態を鑑別する認識部である。
【００１６】
更に、１５は入金時に前記エスクロ部１２から前記金種スタッカ１３へ収納する際や、出金時の金種スタッカ１３から繰出す際に、前記認識部１４で鑑別に失敗した紙幣を収納するリジェクトカセットである。１６は当該紙幣自動入出金部１０へ出金のための紙幣を補充し、入金された紙幣を回収するための補充回収カセットである。
【００１７】
また、上記各部は搬送路１７によって連結されており、紙幣は当該搬送路１７上を走行して各部間を移動する。同図の太線は入金紙幣Ｂの搬送路１７における走行ルート（Ｒ１〜Ｒ４）を示す。接客部１１から取込まれた紙幣Ｂは走行ルートＲ１を通り、走行ルートＲ２にある認識部１４において正常紙幣と判別された紙幣Ｂは、走行ルートＲ３、Ｒ４を通り一旦前記エスクロ部１２へ格納される。一方異常紙幣と判定された紙幣Ｂは走行ルートＲ４を通った後、接客部１１へ返却される。
【００１８】
１８は搬送路１７上に設けられた走行ガイドであり、紙幣Ｂが搬送路１７内で搬送中、紙幣がバタつかないように搬送路１７に対して一定間隔の間隙を有して搬送路１７と平行に配置されている。当該走行ガイド１８には、硬貨を落下させるため後述する異物落下孔１８−１が設けられている。１９は前記走行ガイド１８の下側に配置され、走行ガイド１８から落下してくる硬貨Ｃなどを貯留するための搬送路異物ダクトである。
【００１９】
図３は搬送路１７の構成を示す説明図である。当該搬送路１７は図示しない駆動源によって駆動される複数の搬送ローラ１７−１と複数の搬送ベルト１７−２から構成され、図示しない駆動部が搬送ローラ１７−１を回転駆動することにより、紙幣Ｂは上下の搬送ベルト１７−２によって挟まれて矢印方向へ搬送される。前記走行ガイド１８は、当該搬送路１７の下側に一定間隔の間隙を有して搬送路１７と平行に設けられている。更に、当該走行ガイド１８には、後述する異物落下孔１８−１が設けられている。搬送路１７に流出した硬貨Ｃは搬送路１７の途中で、上下の搬送ベルト１７−２から外れて、走行ガイド１８上に落下する。
【００２０】
図４は走行ガイド１８と搬送路異物ダクト１９の構成を示す斜視図である。走行ガイド１８には前記の如く異物落下孔１８−１が複数設けられており、走行ガイド１８上に落下した硬貨Ｃは当該異物落下孔１８−１を通り箱型の搬送路異物ダクト１９へと貯留される。当該異物落下孔１８−１は硬貨Ｃを落下する大きさに設定されており、紙幣Ｂより小さく設定されているため紙幣Ｂは落下することはない。
【００２１】
更に、２０は当該搬送路異物ダクト１９に設けられた一対の光学センサであり、前記異物落下孔１８−１を通過する硬貨Ｃが当該光学センサ２０の光軸を遮ると、当該光学センサ２０が作動する。これにより、光学センサ２０は異物の通過を検知することができ、前記搬送路異物ダクト１９内に異物が存在することを行員に報知する。
【００２２】
前記接客部１１で除去できなかった硬貨Ｃは搬送路１７へ流出した場合、先ず接客部１１から垂直方向に構成された搬送路１７の走行ルートＲ１上を落下してくる。その後、硬貨Ｃは水平方向の走行ルートＲ２の下側に設けられた走行ガイド１８に落下し、異物落下孔１８−１を通過して、搬送路異物ダクト１９へ落下する。その際、硬貨Ｃは光学センサ２０によりその通過が検知され、ＡＴＭ１は図示しない制御部の制御により、当該搬送路異物ダクト１９に硬貨Ｃなどの異物が存在することを図示しない表示手段に表示しておく。行員は装置のメンテナンス時等に、搬送路異物ダクト１９に異物が存在するという表示がされているので、当該搬送路異物ダクト１９を外して硬貨等の異物を除去する。
【００２３】
以上のように発明を実施するための最良の形態によれば、接客部１１にて除去できなかった硬貨等の異物が搬送路１７に流出した場合においても、この異物を搬送路１７の下側に平行に有する走行ガイド１８に設けられた異物落下孔１８−１によって除去が可能なため、硬貨等の異物が走行ガイド１８上に残留することによる紙幣ジャムを防止することができる。また、除去された異物は箱型の搬送路異物ダクト１９に回収されるので、行員による取扱いが容易となる。更に、異物が存在することを図示しない行員画面等に表示しておくので、直ぐに行員により回収することができる。
【実施例１】
【００２４】
図５は実施例１の搬送路異物ダクト２９の斜視図である。２９は搬送路異物ダクトであり、底部に無端ベルト３０が回転可能に配設されている。当該無端ベルト３０は両側を回転シャフト３１−１、３１−２に固定され、一方の回転シャフト３１−１は駆動軸となっている。当該回転シャフト３１−１には図６に示すウォームギア部のはす歯３３が取付けられており、当該はす歯３３は、ねじ歯３２と噛合っている。当該ねじ歯３２は前記搬送ローラ１７−１を回転駆動する図示しない駆動部と連結されている。
【００２５】
これにより、搬送路１７が駆動されるとその回転はねじ歯３２を駆動し、そして減速されてはす歯３３を駆動し、回転シャフト３１−１を矢印ａ方向にゆっくりと回転させ、前記無端ベルト３０を矢印ｂ方向に移動させる。従って、搬送路異物ダクト２９に落下した硬貨Ｃは確実に矢印ｂ方向に搬送される。
【００２６】
更に、その後は、ＡＴＭ１の筐体に設けられた図示しないダクトと連結されており、当該搬送路異物ダクト２９から排除された硬貨Ｃなどの異物は筐体内のダクトや図示しない硬貨搬送路を通過して、前記硬貨投入返却口４又は異物返却口７に搬送される構造になっている。
【００２７】
入金取引が開始されると、搬送路１７の前記複数の搬送ローラ１７−１と複数の搬送ベルト１７−２が駆動され、更に、当該搬送ローラ１７−１と連結駆動された搬送路異物ダクト２９の無端ベルト３０も矢印ｂ方向に駆動される。
【００２８】
ここで、顧客による紙幣Ｂの投入と同時に投入された硬貨Ｃが、接客部１１において除去出来ずに、搬送路１７内に流出した場合、当該硬貨Ｃは前記走行ガイド１８に落下し、異物落下孔１８−１を通過して、搬送路異物ダクト２９内に落下する。当該搬送路異物ダクト２９に落下した硬貨Ｃは、無端ベルト３０により搬送され、行員による取扱い容易な位置に搬送される。一方、紙幣自動入出金部１０の外部に排出され、ＡＴＭ１の筐体に設けられたダクトへと移動されるように構成してもよい。こうして、ＡＴＭ１に設けられた前記硬貨投入返却口４又は異物返却口７へ搬送され、現に取引を行なっている顧客へ返却される。
【００２９】
このように、実施例１によれば、接客部１１にて除去できなかった硬貨等の異物が搬送路１７に流出した場合においても、この異物を搬送路１７の下側に平行に有する走行ガイド１８に設けられた異物落下孔１８−１によって除去が可能であり、かつ搬送路異物ダクト２９を介して無端ベルト３０により行員による取扱い容易な位置に搬送することもでき、更に自動的に搬送して図１の硬貨投入返却口４又は異物返却口７に搬送し、顧客へ直接返却することができる。
【００３０】
また、実施例１の構成に、前記発明を実施するための最良の形態で説明した一対の光学センサ２０の構成を組み合わせてもよい。このように構成すれば、ＡＴＭ１の図示しない制御部の制御により、光学センサ２０が硬貨Ｃの通過を検知し、図示しない表示手段に表示すると同時に、硬貨Ｃを自動的に搬送して硬貨投入返却口４又は異物返却口７へ直接返却することができるので、顧客サービスの向上に寄与することができる。
【図面の簡単な説明】
【００３１】
【図１】本発明を実施するための最良の形態の現金自動取引装置の外観図である。
【図２】本発明を実施するための最良の形態の紙幣自動入出金部を示す構成図である。
【図３】搬送路の構成を示す説明図である。
【図４】走行ガイドと搬送路異物ダクトの構成を示す斜視図である。
【図５】実施例１の搬送路異物ダクトの斜視図である。
【図６】実施例１の回転シャフトの駆動を示す説明図である。
【図７】従来の紙幣自動入出金部を示す概略構成図である。
【図８】従来の硬貨排除方法の問題点を示す動作説明図である。
【符号の説明】
【００３２】
１            現金自動取引装置（ＡＴＭ）
３            紙幣投入返却口
４            硬貨投入返却口
７            異物返却口
１０          紙幣自動入出金部
１１          接客部
１７          搬送路
１８          走行ガイド
１８−１      異物落下孔
１９、２９    搬送路異物ダクト      
【図１】
2009080611.tif 000003
【図２】
2009080611.tif 000004
【図３】
2009080611.tif 000005
【図４】
2009080611.tif 000006
【図５】
2009080611.tif 000007
【図６】
2009080611.tif 000008
【図７】
2009080611.tif 000009
【図８】
2009080611.tif 000010